(57)【要約】【課題】対象領域と識別情報とに応じて、対象機器の制御についての権限を変える。【解決手段】情報出力システム１は、受信部１３と、処理部４とを備える。受信部１３は、識別情報Ｄ２が割り当てられた少なくとも１つの通信端末７から、識別情報Ｄ２、又は、識別情報Ｄ２に対応付けられた関連情報を、無線通信にて受信する。関連情報は、通信端末７を携帯する携帯者が存在する対象領域に関連する対象機器８の制御に関する情報である。処理部４は、受信部１３で受信された情報を用いて関連情報を取得し、関連情報に基づく権限情報を出力する。権限情報は、対象機器８の制御における権限がある制御を許可するための情報である。【選択図】図１
2018076996.tif 000002
【特許請求の範囲】
【請求項１】
識別情報が割り当てられた少なくとも１つの通信端末から出力された、前記識別情報、又は、前記通信端末を携帯する携帯者が存在する対象領域に関連する対象機器の制御に関する情報であって前記識別情報に対応付けられた関連情報を用いて前記関連情報を取得し、前記対象機器の制御における権限がある制御を許可するための情報であって前記関連情報に基づく権限情報を生成する生成部と、
前記権限情報を出力する出力部と
を備える情報出力システム。
【請求項２】
前記権限情報は、前記権限がある制御を前記対象機器に指示するための制御情報であり、
前記出力部は、前記制御情報を、前記対象機器を制御する機器制御装置に出力する
請求項１記載の情報出力システム。
【請求項３】
前記受信部は、前記通信端末から前記識別情報を無線通信にて受信し、
前記生成部は、前記通信端末から出力された前記識別情報に対応付けられた前記関連情報に基づく前記権限情報を生成する
請求項１又は２記載の情報出力システム。
【請求項４】
前記識別情報と前記関連情報との対応関係は時間帯ごとに異なり、
前記生成部は、現在時刻が含まれる時間帯における前記対応関係の前記関連情報に基づく前記権限情報を生成する
請求項３記載の情報出力システム。
【請求項５】
前記識別情報には優先度が対応付けられており、
前記生成部は、複数の通信端末から出力された前記識別情報のうち前記優先度が最も高い識別情報に対応付けられた前記関連情報に基づく前記権限情報を生成する
請求項３又は４記載の情報出力システム。
【請求項６】
複数の領域の各々について、複数の通信端末を識別するための複数の識別情報と、前記対象機器の制御に関する複数の関連情報とが対応付けられたデータベースを記憶する記憶部を更に備え、
前記生成部は、前記対象領域について、前記通信端末から出力された前記識別情報に対応付けられた前記関連情報を前記データベースから抽出し、前記関連情報に基づく前記権限情報を生成する
請求項３〜５のいずれか１項に記載の情報出力システム。
【請求項７】
前記データベースにおいて、前記複数の領域のうちの２以上の領域について、前記複数の識別情報と前記複数の関連情報との対応関係が同一である
請求項６記載の情報出力システム。
【請求項８】
前記データベースにおいて、前記複数の識別情報のうちの２以上の識別情報に同一の前記関連情報が対応付けられている
請求項６又は７記載の情報出力システム。
【請求項９】
前記生成部は、前記通信端末から出力された前記関連情報に基づく前記権限情報を生成する
請求項１記載の情報出力システム。
【請求項１０】
請求項１〜９のいずれか１項に記載の情報出力システムと、
前記出力部から出力された前記権限情報に応じて前記対象機器を制御する機器制御装置と
を備える機器制御システム。
【請求項１１】
識別情報が割り当てられた少なくとも１つの通信端末から、前記識別情報、又は、前記通信端末を携帯する携帯者が存在する対象領域に関連する対象機器の制御に関する情報であって前記識別情報に対応付けられた関連情報を用いて前記関連情報を取得し、前記対象機器の制御における権限がある制御を許可するための情報であって前記関連情報に基づく権限情報を生成する生成ステップと、
前記権限情報を出力する出力ステップと
を有する情報出力方法。
【請求項１２】
コンピュータに、
識別情報が割り当てられた少なくとも１つの通信端末から、前記識別情報、又は、前記通信端末を携帯する携帯者が存在する対象領域に関連する対象機器の制御に関する情報であって前記識別情報に対応付けられた関連情報を用いて前記関連情報を取得し、前記対象機器の制御における権限がある制御を許可するための情報であって前記関連情報に基づく権限情報を生成する生成処理と、
前記権限情報を出力する出力処理と
を実行させるためのプログラム。
【発明の詳細な説明】
【技術分野】
【０００１】
本発明は、情報出力システム、機器制御システム、情報出力方法、及びプログラムに関する。
【背景技術】
【０００２】
従来、空調安定期へと至る過渡期の快適性を向上させる空気調和機が知られている（例えば特許文献１参照）。特許文献１の空気調和機は、人体検知センサと床温度検知センサとを備えている。空気調和機は、両センサを組み合わせて、風向、風量、圧縮機回転数の少なくともいずれか一つを制御する。これにより、可動体検知センサで空調すべき部屋全体を常時監視して、人の移動を検出すれば、風向等を変更する制御ができ、人の移動から遅れることなく、人が存在する位置の快適性を向上させることができる。
【先行技術文献】
【特許文献】
【０００３】
【特許文献１】特開２０１６−５３４５１号公報
【発明の概要】
【発明が解決しようとする課題】
【０００４】
しかしながら、特許文献１に記載された従来の空気調和機では、空調すべき部屋（対象領域）に存在する人が誰であっても制御する権限が同じである。
【０００５】
本発明は上記の点に鑑みてなされた発明であり、本発明の目的は、対象領域と対象領域に存在する人とに応じて、対象領域に関連する対象機器の制御についての権限を変えることができる情報出力システム、機器制御システム、情報出力方法、及びプログラムを提供することにある。
【課題を解決するための手段】
【０００６】
本発明の一態様に係る情報出力システムは、生成部と、出力部とを備える。前記生成部は、識別情報が割り当てられた少なくとも１つの通信端末から出力された、前記識別情報、又は、前記識別情報に対応付けられた関連情報を用いて前記関連情報を取得し、前記関連情報に基づく権限情報を生成する。前記関連情報は、前記通信端末を携帯する携帯者が存在する対象領域に関連する対象機器の制御に関する情報である。前記権限情報は、前記対象機器の制御における権限がある制御を許可するための情報である。前記出力部は、前記権限情報を出力する。
【０００７】
本発明の一態様に係る機器制御システムは、前記情報出力システムと、機器制御装置とを備える。前記機器制御装置は、前記出力部から出力された前記権限情報に応じて前記対象機器を制御する。
【０００８】
本発明の一態様に係る情報出力方法は、識別情報が割り当てられた少なくとも１つの通信端末から、前記識別情報、又は、前記識別情報に対応付けられた関連情報を用いて前記関連情報を取得し、前記関連情報に基づく権限情報を生成する生成ステップを有する。前記関連情報は、前記通信端末を携帯する携帯者が存在する対象領域に関連する対象機器の制御に関する情報である。前記権限情報は、前記対象機器の制御における権限がある制御を許可するための情報である。前記出力情報方法は、前記権限情報を出力する出力ステップを有する。
【０００９】
本発明の一態様に係るプログラムは、コンピュータに、識別情報が割り当てられた少なくとも１つの通信端末から、前記識別情報、又は、前記識別情報に対応付けられた関連情報を用いて前記関連情報を取得し、前記関連情報に基づく権限情報を生成する生成処理を実行させる。前記関連情報は、前記通信端末を携帯する携帯者が存在する対象領域に関連する対象機器の制御に関する情報である。前記権限情報は、前記対象機器の制御における権限がある制御を許可するための情報である。前記プログラムは、前記コンピュータに、前記権限情報を出力する出力処理を実行させる。
【発明の効果】
【００１０】
本発明によれば、対象領域と対象領域に存在する人とに応じて、対象領域に関連する対象機器の制御についての権限を変えることができる。
【図面の簡単な説明】
【００１１】
【図１】図１は、本発明の一実施形態に係る情報出力システムを備えた機器制御システムのブロック図である。
【図２】図２は、同上の情報出力システムの使用例を説明する概略図である。
【図３】図３は、同上の機器制御システムの動作を説明するフローチャートである。
【図４】図４は、通信端末の操作画面の一例を示す正面図である。
【発明を実施するための形態】
【００１２】
以下の実施形態は、一般に、情報出力システム、機器制御システム、情報出力方法、及びプログラムに関する。以下の実施形態は、より詳細には、対象機器の制御における権限がある制御を許可するための権限情報を出力する情報出力システム、及び、この情報出力システムを備える機器制御システムに関する。さらに、以下の実施形態は、上記権限情報を出力するための情報出力方法、及び、上記権限情報を出力するために実行されるプログラムに関する。
【００１３】
以下、実施形態に係る情報出力システム、機器制御システム、情報出力方法、及びプログラムについて、図面を参照して詳細を説明する。ただし、以下に説明する実施形態は、本発明の様々な実施形態の一つに過ぎない。下記の実施形態は、本発明の目的を達成できれば、設計などに応じて種々の変更が可能である。
【００１４】
本実施形態に係る機器制御システム１００は、図１、２に示すように、情報出力システム１と、複数の通信端末７と、コントローラ（機器制御装置）２００とを備えている。
【００１５】
機器制御システム１００は、複数の対象機器８としての複数の空調機器８１、８４、複数の照明機器８２、８５及び複数の電気錠８３、８６の各々の動作を制御することにより、建物における各領域５の状態（例えば環境状態、セキュリティ状態）を、所定の状態となるように調節する。建物は、例えば、フロア（階）ごとに複数の領域５を有するオフィスビルなどである。各領域５は、例えば、オフィス用の事務室、化学実験室及び物理実験室などのような実験室、図書室、フィットネスルーム、洗濯室など、適宜の部屋の空間全体、又は当該空間の少なくとも一部である。以下では、建物が有する部屋ごとに領域５が設定されている場合について説明する。
【００１６】
複数の空調機器８１、８４は、複数の領域５に一対一に対応するように配置されている。空調機器８１、８４は、対応する領域５の温度を所定温度に調節したり、所定範囲の温度に調節したりする。より詳細には、複数の空調機器８１、８４のうち第１の空調機器８１は、複数の領域５のうち第１の領域５１に配置されており、第１の領域５１の温度を調節する。複数の空調機器８１、８４のうち第２の空調機器８４は、複数の領域５のうち第２の領域５２に配置されており、第２の領域５２の温度を調節する。
【００１７】
複数の照明機器８２、８５は、少なくとも１つからなる照明器具を有しており、複数の領域５に一対一に対応するように配置されている。照明機器８２、８５は、対応する領域５の照度を所定照度に調節したり、所定範囲の照度に調節したりすることができる。より詳細には、複数の照明機器８２、８５のうち第１の照明機器８２は、複数の領域５のうち第１の領域５１に配置されており、第１の領域５１の照度を調節する。複数の照明機器８２、８５のうち第２の照明機器８５は、複数の領域５のうち第２の領域５２に配置されており、第２の領域５２の照度を調節する。
【００１８】
複数の電気錠８３、８６は、複数の領域５に一対一に対応するように配置されている。電気錠８３、８６は、対応する領域５の出入口の施解錠を行う。より詳細には、複数の電気錠８３、８６のうち第１の電気錠８３は、複数の領域５のうち第１の領域５１に配置されており、第１の領域５１の施解錠を行う。複数の電気錠８３、８６のうち第２の電気錠８６は、複数の領域５のうち第２の領域５２に配置されており、第２の領域の施解錠を行う。
【００１９】
コントローラ２００は、後述の処理部４から出力された制御情報（権限情報）Ｄ３に応じて複数の対象機器８を制御するように構成されている。より詳細には、コントローラ２００は、複数の空調機器８１、８４、複数の照明機器８２、８５及び複数の電気錠８３、８６の各々と通信することにより、空調機器８１、８４、照明機器８２、８５及び電気錠８３、８６の動作状態を制御する。コントローラ２００は、有線通信又は無線通信により複数の空調機器８１、８４、複数の照明機器８２、８５及び複数の電気錠８３、８６の各々と通信する。コントローラ２００は、情報出力システム１が出力した制御情報Ｄ３に応じて対象機器８を制御する。コントローラ２００は、例えば、空調機器用の制御情報Ｄ３に基づいて空調機器用の制御信号を生成して各空調機器８１（８４）に出力することにより、各空調機器８１（８４）の動作状態を制御する。また、コントローラ２００は、照明機器用の制御情報Ｄ３に基づいて各照明機器用の制御信号を生成して各照明機器８２（８５）に出力することにより、各照明機器８２（８５）の動作状態を制御する。さらに、コントローラ２００は、電気錠用の制御情報Ｄ３に基づいて各電気錠用の制御信号を生成して各電気錠８３（８６）に出力することにより、各電気錠８３（８６）の動作状態を制御する。
【００２０】
複数の通信端末７は、例えば、電波を媒体とする無線信号を周期的に出力する携帯端末である。各通信端末７は、いわゆるビーコン端末である。無線信号の通信方式は、一例として、Ｂｌｕｅｔｏｏｔｈ（登録商標）である。無線信号の通信方式は、他にも例えば、Ｗｉ−Ｆｉ（登録商標）、及び特定小無線電力通信などでもよい。各通信端末７は、建物を利用する複数の利用者６に携帯される。利用者（携帯者）６は、一例として、複数の通信端末７のうち利用者６ごとに割り当てられた特定の通信端末７を携帯する。より詳細には、第１の利用者６１は、第１の通信端末７１を携帯する。第２の利用者６２は、第２の通信端末７２を携帯する。第３の利用者６３は、第３の通信端末７３を携帯する。つまり、通信端末７と利用者６とは一対一に対応する。複数の利用者６はそれぞれ、複数の領域５（複数の部屋）の間を移動自在である。
【００２１】
複数の通信端末７には、識別情報Ｄ２が割り当てられている。識別情報Ｄ２は、複数の通信端末７を識別するための情報である。言い換えると、識別情報Ｄ２は、通信端末７の利用者６ごとに異なっている。複数の通信端末７は、識別情報Ｄ２を無線信号により周期的にサーバ１０に送信する。識別情報Ｄ２は、例えば、通信端末７の不揮発性メモリなどに保持されている。
【００２２】
情報出力システム１は、図１、２に示すように、受信部１３と、サーバ１０とを備えている。情報出力システム１は、複数の領域５のうち、複数の受信機２と通信可能な通信端末７を携帯する利用者６が存在する対象領域の位置に関する位置情報Ｄ１を生成する機能を有する。対象領域は、複数の領域５のうち、複数の受信機２と通信可能な通信端末７を携帯する利用者６が存在する領域である。
【００２３】
受信部１３は、一例として、複数の受信機２を含んでいる。複数の受信機２は、複数の領域５にそれぞれ配置されている。各受信機２は、複数の通信端末７の各々と無線通信を行うように構成されている。具体的には、各受信機２は、通信端末７から識別情報Ｄ２を受信する。つまり、受信部１３は、識別情報Ｄ２が割り当てられた少なくとも１つの通信端末７から、識別情報Ｄ２を無線通信にて受信する。
【００２４】
各受信機２は、受信した無線信号に基づいて、無線信号の受信強度に関する情報を生成する。各受信機２は、電波を媒体とした無線通信により、後述するサーバ１０の情報生成部３に情報を送信する。より詳細には、各受信機２は、通信端末７からの無線信号を受信した後に、識別情報Ｄ２と、受信機情報と、無線信号の受信強度に関する情報とをサーバ１０に送信する。各受信機２は、受信機２ごとに割り当てられた受信機情報を、受信機２が有する不揮発性メモリなどに保持している。受信機情報は、一例として、３桁の数字からなる番号（００１，００２…）であるが、この例に限定されない。
【００２５】
ところで、複数の受信機２は、予め定められた複数の領域５にそれぞれ配置されている。つまり、複数の受信機２は、複数の領域５に一対一に対応するように配置されている。各領域５は、例えば、各受信機２を中心とした所定の半径の円内の領域である。所定の半径とは、一例として、受信機２が受信する無線信号の受信強度が所定の閾値以上となる距離を意味する。
【００２６】
複数の受信機２は、複数の通信端末７のうち１つの通信端末７からの無線信号の受信強度に関する情報をサーバ１０に送信する場合がある。例えば、図２では、複数の受信機２のうち第１の受信機２１と第２の受信機２２とがそれぞれ隣り合う第１の領域５１と第２の領域５２に対応するように配置されている。ここで、第１の受信機２１と第２の受信機２２とが両方とも第１の通信端末７１からの無線信号を受信する場合がある。図２では、第１の受信機２１が受信した無線信号の受信強度が、第２の受信機２２が受信した無線信号の受信強度よりも大きい。したがって、サーバ１０は、第１の通信端末７１が第１の受信機２１が配置されている第１の領域５１に存在すると判定することができる。
【００２７】
以下、複数の受信機２のうち少なくとも１つの受信機２が受信した無線信号の受信強度に関する情報と、当該無線信号によって伝送された受信機情報とからなる情報のことを「通知情報」と呼ぶ。通知情報は、後述するサーバ１０の情報生成部３が、複数の領域５において少なくとも１つの通信端末７が存在する領域を特定するための情報である。したがって、複数の受信機２は、複数の領域５のうち通信端末７が存在する領域を通知する通知情報を情報生成部３に出力する。
【００２８】
サーバ１０は、図１に示すように、通信部１１と、記憶部１２と、情報生成部３と、処理部（生成部、出力部）４とを備えている。サーバ１０は、例えば、プロセッサ及びメモリを含むコンピュータ（マイクロコンピュータを含む）を主構成要素とする。すなわち、コンピュータは、適宜のプログラムを実行することにより、サーバ１０として機能する。
【００２９】
通信部１１は、複数の受信機２の各々から通知情報を受信し、受信した通知情報を情報生成部３に出力する。
【００３０】
記憶部１２は、例えば、ＥＥＰＲＯＭ（Electrically Erasable Programmable Read-Only Memory）のような書き換え可能な不揮発性メモリを含む。
【００３１】
記憶部１２は、位置テーブルを保持している。位置テーブルは、複数の受信機２と複数の領域５との対応関係を示す情報である。
【００３２】
記憶部１２は、複数の領域５の各々について、複数の通信端末７を識別するための複数の識別情報Ｄ２と、対象機器８の制御に関する複数の関連情報とが対応付けられたデータベースを記憶している。例えば、記憶部１２は、受信機２が配置された領域５ごとに、表１に示すような対応関係を記憶している。識別情報Ｄ２ごとに、空調機器８１（８４）の制御についての許可／不許可と、照明機器８２（８５）の制御についての許可／不許可、電気錠８３（８６）の制御についての許可／不許可を示している。表１において、記号「○」は許可を表し、記号「×」は不許可を表す。例えば、識別情報「１」では、空調機器８１（８４）、照明機器８２（８５）及び電気錠８３（８６）の制御について許可される。識別情報「３」では、電気錠８３（８６）の制御のみが許可され、空調機器８１（８４）及び照明機器８２（８５）の制御については許可されない。表１の名前は、利用者６の名前であり、識別情報Ｄ２と対応付けられている。
【００３３】
【表１】
2018076996.tif 000003
【００３４】
また、記憶部１２のデータベースには、識別情報Ｄ２ごとに優先度が対応付けられている。受信部１３が複数の識別情報Ｄ２を受信した場合、優先度が高いほうの識別情報Ｄ２に対応付けられた権限が優先される。例えば受信部１３が識別情報「１」と識別情報「３」とを受信した場合、優先度の高い識別情報「１」に対応付けられた権限が選択される。つまり、空調機器８１（８４）、照明機器８２（８５）及び電気錠８３（８６）の全ての制御について許可される。
【００３５】
さらに、上記データベースには、識別情報Ｄ２ごとに時間帯が対応付けられている。受信部１３が識別情報Ｄ２を受信した時刻に応じて、対象機器８の制御についての権限を変更する。例えば、受信部１３が識別情報「２」を１０時に受信した場合、空調機器８１（８４）及び照明機器８２（８５）の制御について許可される。一方、受信部１３が識別情報「２」を２０時に受信した場合、全ての対象機器８の制御について許可されない。
【００３６】
情報生成部３は、少なくとも１つの受信機２から、識別情報Ｄ２と、通知情報（受信機情報及び受信強度に関する情報）とを受信する。情報生成部３は、通知情報に基づいて、少なくとも１つの通信端末７が存在する領域５が、複数の領域５のうちどの領域５であるかを特定する。情報生成部３は、例えば、１つの受信機２から識別情報Ｄ２と通知情報とを受信した場合、通知情報の受信機情報を用いて位置テーブルを参照することにより、１つの通信端末７が存在する領域５を特定する。また、情報生成部３は、複数の受信機２から識別情報Ｄ２と、通知情報とを受信した場合、複数の通知情報に含まれる受信強度を比較する。情報生成部３は、特定の通信端末７に関して最も受信強度が大きい通知情報の受信機情報を用いて位置テーブルを参照することにより、特定の通信端末７が存在する領域５を特定する。情報生成部３は、特定の通信端末７が存在する領域５に関する位置情報Ｄ１を生成する。情報生成部３は、位置情報Ｄ１と識別情報Ｄ２とを処理部４に出力する。
【００３７】
処理部４は、対象領域にある通信端末７の数と、対象領域に存在する利用者６とに応じて、通信端末７が存在する対象領域を所定の状態にするためのパラメータを制御情報Ｄ３として決定する。
【００３８】
処理部４は、受信部１３で受信された情報を用いて関連情報を取得し、関連情報に基づく制御情報（権限情報）Ｄ３を生成し、この制御情報Ｄ３を出力する。より詳細には、処理部４は、情報生成部３で生成された位置情報の対象領域について、受信部１３で受信された識別情報Ｄ２に対応付けられた関連情報を記憶部１２のデータベースから抽出する。そして、処理部４は、関連情報に基づく制御情報Ｄ３を生成し、対象機器８を制御するコントローラ２００（機器制御装置）に出力する。権限情報は、対象機器８の制御における権限がある制御を許可するための情報である。制御情報Ｄ３は、権限がある制御を対象機器８に指示するための情報である。
【００３９】
ところで、識別情報Ｄ２と関連情報との対応関係は時間帯ごとに異なっている。そこで、処理部４は、現在時刻が含まれる時間帯における対応関係の関連情報に基づく制御情報（権限情報）Ｄ３を生成し、この制御情報Ｄ３を出力する。
【００４０】
また、識別情報Ｄ２には優先度が対応付けられている。そこで、処理部４は、受信部１３が複数の通信端末７から識別情報Ｄ２を受信したときに、受信部１３で受信された識別情報Ｄ２のうち優先度が最も高い識別情報Ｄ２に対応付けられた関連情報に基づく制御情報Ｄ３を生成し、出力する。
【００４１】
処理部４は、位置情報Ｄ１と識別情報Ｄ２とに基づいて、通信端末７が存在する対象領域に配置された対象機器８を制御するための制御情報Ｄ３を生成する。処理部４は、制御情報Ｄ３をコントローラ２００に出力する。
【００４２】
なお、処理部４は、対象機器８の制御内容について、利用者６が存在する対象領域の位置情報Ｄ１と、利用者６ごとに定められた情報（好み、属性、健康状態）とに応じて、決定してもよい。
【００４３】
また、処理部４は、記憶部１２のデータベースを更新する機能を有している。管理者などによって、関連情報が変更されたり、優先度が変更されたり、時間帯が変更されたりする。
【００４４】
ところで、情報出力システム１において、各受信機２及び記憶部１２は、情報出力システム１が各種の機能を実行するためのプログラムを格納している。すなわち、記憶部１２は、コンピュータを、通信部１１、情報生成部３及び処理部４として機能させるためのプログラムを格納している。
【００４５】
上記プログラムは、情報出力システム１の出荷時に記憶部１２に予め格納されている。ただし、上記プログラムは、情報出力システム１の出荷後に情報出力システム１が取得してもよい。情報出力システム１が当該プログラムを出荷後に取得する場合、情報出力システム１が当該プログラムを取得する手法の一例としては、当該プログラムを記録したコンピュータ読み取り可能な記録媒体を用いる手法がある。記録媒体を用いる手法の場合、情報出力システム１は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、情報出力システム１が当該プログラムを取得する他の手法としては、ネットワークを用いて当該プログラムを外部装置（図示せず）からダウンロードする手法がある。当該プログラムをダウンロードする手法の場合、情報出力システム１は、ネットワークを用いて外部装置と通信するための通信機能を有していればよい。
【００４６】
次に、本実施形態に係る情報出力システム１の動作について図３を参照して説明する。
【００４７】
まず、受信部１３が通信端末７から識別情報Ｄ２を受信する（Ｓ１）。情報生成部３は、受信部１３からの識別情報Ｄ２を取得すると、受信部１３の位置を示す位置情報Ｄ１を生成する（Ｓ２）。その後、処理部４は、情報生成部３から位置情報Ｄ１と、識別情報Ｄ２と、通信端末７の数に関する情報とを取得する（Ｓ３）。処理部４は、通信端末７の数が１つか複数かを判定する（Ｓ４）。通信端末７の数が１つである場合（Ｓ４：１つ）、処理部４は、対象領域について、通信端末７の識別情報Ｄ２に対応付けられた関連情報を記憶部１２のデータベースから抽出し、権限を有する対象機器８を選択する（Ｓ５）。
【００４８】
一方、通信端末７の数が複数である場合（Ｓ４：複数）、処理部４は、複数の通信端末７に割り当てられた識別情報Ｄ２のうち、優先度の最も高い識別情報Ｄ２を選択する（Ｓ６）。処理部４は、優先度の最も高い識別情報Ｄ２に対応付けられた関連情報をデータベースから抽出し、権限を有する対象機器８を選択する（Ｓ５）。
【００４９】
以上説明した本実施形態に係る情報出力システム１は、生成部（処理部４）と、出力部（処理部４）とを備える。生成部は、識別情報Ｄ２が割り当てられた少なくとも１つの通信端末７から出力された、識別情報Ｄ２、又は、識別情報Ｄ２に対応付けられた関連情報を用いて関連情報を取得し、関連情報に基づく権限情報（制御情報Ｄ３）を生成する。関連情報は、通信端末７を携帯する携帯者（利用者６）が存在する対象領域に関連する対象機器８の制御に関する情報である。権限情報は、対象機器８の制御における権限がある制御を許可するための情報である。出力部は、権限情報を出力する。
【００５０】
本実施形態に係る情報出力システム１は、通信端末７に割り当てられた識別情報Ｄ２、又は、対象領域に関連する対象機器８の制御についての情報であって識別情報Ｄ２に対応付けられた関連情報を受信する。そして、情報出力システム１は、受信した情報から取得した関連情報に基づく権限情報を出力する。これにより、対象領域と識別情報Ｄ２とに応じて、対象機器８の制御についての権限を変えることができるので、場所（対象領域）及び個人（対象領域に存在する人）ごとに最適な機器制御を許可することができる。
【００５１】
本実施形態に係る情報出力システムでは、権限情報は、権限がある制御を対象機器８に指示するための制御情報Ｄ３であることが好ましい。処理部４は、制御情報Ｄ３を、対象機器８を制御する機器制御装置（コントローラ２００）に出力する。
【００５２】
本実施形態に係る情報出力システム１では、制御情報Ｄ３を機器制御装置に出力する。これにより、場所及び個人ごとに最適な機器制御を自動で行うことができる。
【００５３】
本実施形態に係る情報出力システム１では、生成部（処理部４）は、通信端末７から出力された識別情報Ｄ２に対応付けられた関連情報に基づく権限情報を生成する。
【００５４】
本実施形態に係る情報出力システム１では、識別情報Ｄ２に対応付けられた関連情報がシステム側に格納されている。これにより、関連情報が通信端末７側に格納されている場合に比べて、関連情報の管理が容易である。
【００５５】
本実施形態に係る情報出力システム１では、識別情報Ｄ２と関連情報との対応関係は時間帯ごとに異なることが好ましい。生成部（処理部４）は、現在時刻が含まれる時間帯における対応関係の関連情報に基づく権限情報を生成することが好ましい。
【００５６】
本実施形態に係る情報出力システム１では、同じ識別情報Ｄ２であっても時間帯ごとに関連情報が異なっている。これにより、時間帯に適した機器制御を許可することができる。
【００５７】
本実施形態に係る情報出力システム１では、識別情報Ｄ２には優先度が対応付けられていることが好ましい。生成部（処理部４）は、複数の通信端末７から出力された識別情報Ｄ２のうち優先度が最も高い識別情報Ｄ２に対応付けられた関連情報に基づく権限情報を生成することが好ましい。
【００５８】
本実施形態に係る情報出力システム１では、優先度の高い識別情報Ｄ２に対応付けられた関連情報に基づく権限情報を優先して出力する。これにより、特定の人に適した機器制御を促すことができる。
【００５９】
本実施形態に係る情報出力システム１は、記憶部１２を更に備えることが好ましい。記憶部１２は、複数の領域５の各々について、複数の通信端末７を識別するための複数の識別情報Ｄ２と、対象機器８の制御に関する複数の関連情報とが対応付けられたデータベースを記憶することが好ましい。生成部（処理部４）は、対象領域について、通信端末７から出力された識別情報Ｄ２に対応付けられた関連情報をデータベースから抽出し、関連情報に基づく権限情報を生成することが好ましい。
【００６０】
本実施形態に係る情報出力システム１は、複数の領域５の各々について識別情報Ｄ２と関連情報とが対応付けられたデータベースを記憶する。これにより、識別情報Ｄ２と関連情報との対応関係の管理及び変更が容易である。
【００６１】
本実施形態に係る機器制御システム１００は、情報出力システム１と、機器制御装置（コントローラ２００）とを備える。機器制御装置は、処理部４から出力された権限情報に応じて対象機器８を制御する。
【００６２】
本実施形態に係る機器制御システム１００は、処理部４から出力された権限情報に応じて対象機器８を制御する。これにより、対象領域と識別情報Ｄ２とに応じて、対象機器８の制御についての権限を変えることができるので、場所及び個人ごとに最適な機器制御を行うことができる。
【００６３】
本実施形態に係る情報出力方法は、識別情報Ｄ２が割り当てられた少なくとも１つの通信端末から出力された、識別情報Ｄ２、又は、識別情報Ｄ２に対応付けられた関連情報を用いて関連情報を取得し、関連情報に基づく権限情報を生成するステップを有する。関連情報は、通信端末７を携帯する携帯者が存在する対象領域に関連する対象機器の制御に関する情報である。権限情報は、対象機器８の制御における権限がある制御を許可するための情報である。出力情報方法は、権限情報を出力する出力ステップを有する。
【００６４】
本実施形態に係る情報出力方法では、通信端末７に割り当てられた識別情報Ｄ２、又は、対象領域に関連する対象機器８の制御についての情報であって識別情報Ｄ２に対応付けられた関連情報を受信する。そして、情報出力方法では、受信した情報から取得した関連情報に基づく権限情報を出力する。これにより、対象領域と識別情報Ｄ２とに応じて、対象機器８の制御についての権限を変えることができるので、場所及び個人ごとに最適な機器制御を許可することができる。
【００６５】
本実施形態に係るプログラムは、コンピュータに、識別情報Ｄ２が割り当てられた少なくとも１つの通信端末７から出力された、識別情報Ｄ２、又は、識別情報Ｄ２に対応付けられた関連情報を用いて関連情報を取得し、関連情報に基づく権限情報（制御情報Ｄ３）を生成する生成処理を実行させる。関連情報は、通信端末７を携帯する携帯者が存在する対象領域に関連する対象機器８の制御に関する情報である。権限情報は、対象機器８の制御における権限がある制御を許可するための情報である。プログラムは、コンピュータに、権限情報を出力する出力処理を実行させる。
【００６６】
本実施形態に係るプログラムでは、通信端末７に割り当てられた識別情報Ｄ２、又は、対象領域に関連する対象機器８の制御に関する情報であって識別情報Ｄ２に対応付けられた関連情報を受信する処理をコンピュータに実行させる。そして、プログラムは、受信した情報から取得した関連情報に基づく権限情報を出力する処理をコンピュータに実行させる。これにより、対象領域と識別情報Ｄ２とに応じて、対象機器８の制御についての権限を変えることができるので、場所及び個人ごとに最適な機器制御を許可することができる。
【００６７】
なお、記憶部１２に記憶されているデータベースにおいて、複数の領域５のうちの２以上の領域５について、複数の識別情報Ｄ２と複数の関連情報との対応関係が同一であってもよい。これにより、２以上の領域５について同じ権限を与えることができる。例えば、同じ用途の領域５について、関連情報を個別に設定することが不要となる。
【００６８】
また、データベースにおいて、複数の識別情報Ｄ２のうちの２以上の識別情報Ｄ２に同一の関連情報が対応付けられていてもよい。これにより、個別に権限を設定する場合よりも、権限を簡単に設定することができる。
【００６９】
受信部１３は、通信端末７から関連情報を無線通信にて受信してもよい。この場合、生成部（処理部４）は、通信端末７から出力された関連情報に基づく権限情報を生成する。これにより、通信端末７から関連情報を受信するから、情報出力システム１側で関連情報を管理することが不要である。
【００７０】
出力部（処理部４）から出力される権限情報は、制御情報Ｄ３に限らず、権限がある対象機器８を制御するための操作を受け付ける操作画面に関する画面情報であってもよい。この場合、出力部は、上記画面情報を、対象領域に存在する利用者６の通信端末７に出力する。通信端末７は、画面情報に基づいて、例えば図４に示すような操作画面を表示する。図４は、空調機器８１（８４）及び照明機器８２（８５）の制御の権限を有し、電気錠８３（８６）の制御の権限を有しない場合の操作画面を示す。通信端末７の操作画面は、空調機器８１（８４）を制御するための操作部７０１と、照明機器８２（８５）を制御するための操作部７０２とを有している。一方、電気錠８３（８６）の制御の権限を有しないため、自動制御を表す文字７０３が表示される。これにより、例えば通信端末７が、対象機器８を制御するための操作を受け付ける操作画面を表示する機能を有する場合、権限情報に応じて操作画面を変更することができる。その結果、利用者６が制御可能な対象機器８を把握することができる。
【００７１】
上記操作画面を表示する機能を有する複数の通信端末７から制御指示が出力された場合、処理部４は、多数決又は平均値などを用いて制御情報Ｄ３を生成し、制御情報Ｄ３をコントローラ２００に出力する。例えば、処理部４は、最も多い制御指示に基づいて制御情報Ｄ３を生成し、制御情報Ｄ３をコントローラ２００に出力する。あるいは、制御指示が空調機器８１（８４）の温度又は照明機器８２（８５）の調光率である場合、処理部４は、複数の制御指示における温度又は調光率の平均値に基づいて制御情報Ｄ３を生成し、コントローラ２００に出力する。
【００７２】
なお、受信部１３は、必ずしも複数の受信機２で構成されていなくてもよく、１つの受信機で構成されていてもよい。例えば、複数の通信端末７がＧＰＳ（Global Positioning System）情報を受信部１３に送信可能に構成されている場合、受信部１３は、少なくとも１つの受信機を有していればよい。
【００７３】
また、受信部１３は、複数の受信機２の他にも、例えば、複数のカメラ、及び複数の非接触カードリーダーなどを有していてもよい。複数のカメラはそれぞれ、複数の領域５に配置されていて、各領域５を撮影し、撮影結果を情報生成部３に出力する。情報生成部３は、画像認識の機能などにより領域内の利用者６の存否を判定し、各カメラの設置された領域５と人の存否の判定結果とに基づいて、利用者６が存在する領域５の位置を特定する。また、各カメラが画像認識の機能などを有していて、画像認識の認識結果を情報生成部３に出力するように構成されていてもよい。
【００７４】
また、複数の非接触カードリーダーは、例えば、複数の領域５に対応する部屋の施錠及び解錠のための装置であり、各領域５に対応する部屋に対して利用者６が出入りする際に、解錠用のカードキーを非接触で読み取る。非接触カードリーダーは、例えば、利用者６の入退室に関する情報を情報生成部３に出力する。情報生成部３は、利用者６の入退室に関する情報と、各領域５に対応する部屋とに基づいて、利用者６の通信端末７が存在する領域５の位置を特定する。
【００７５】
なお、情報出力システム１は、複数の領域５にそれぞれ設けられた複数のセンサを備えていてもよい。各センサは、例えば温度センサである。複数の温度センサの各々は、例えば、通信端末７に内蔵されていてもよい。
【００７６】
複数の対象機器８の各々は、他にも例えば、給排水装置、表示装置、音響装置などであってもよい。各機器は、例えば、領域５内の給排水状況、表示装置の表示内容、音響装置の音量などを調節することができる。
【００７７】
利用者６の数は３人に限定される趣旨ではなく、１人又は２人でもよいし、４人以上でもよい。
【００７８】
機器制御システム１００は、必ずしもコントローラ２００を備えていなくてもよい。その場合、サーバ１０は、機器制御システム１００とは別に用意されたコントローラ２００に制御情報Ｄ３を送信するように構成されていればよい。複数の機器の各々を制御するコントローラ２００は、必須の構成ではなく、コントローラ２００に相当する機能をサーバ１０が有している場合には、コントローラ２００は省略可能である。
【００７９】
情報生成部３と、処理部４とは、必ずしもサーバ１０で実現されなくてもよく、サーバ１０とは異なる他の機器で実現されてもよい。
【００８０】
機器制御システム１００は、例えば、複数の部屋を有する戸建て住宅などにも用いることができる。
【００８１】
複数の領域５の各々は、１つの部屋に対して１つの領域５が定められることに限らず、１つの部屋に対して複数の領域５が定められていてもよい。例えば、事務室の空間の大きさが、通信端末７が通信可能な距離よりも大きい場合には、事務室に複数の領域５を定めてもよい。領域５は、部屋であることに限らず、例えばグラウンドなどのような屋外施設における特定の領域５であってもよい。
【００８２】
ところで、複数の通信端末７の各々は、ビーコン端末に限らず、例えばスマートフォン、又はタブレット端末などのようなユーザが使用する移動体端末であってもよい。通信端末７は、他にも例えば、携帯可能なパーソナルコンピュータであってもよい。その場合、受信部１３は、各通信端末７が送出する無線信号を受信できるように構成されていればよい。
【００８３】
なお、機器制御システム１００は、上記実施形態では、受信部１３とサーバ１０とコントローラ２００とで実現されているが、この構成に限らず、受信部１３とサーバ１０とコントローラ２００とのうちの少なくとも２つが一体となっていてもよい。また、通信部１１、記憶部１２、情報生成部３及び処理部４は、上記実施形態では、１つのサーバ１０に含まれているが、２つ以上の装置に分散して設けられてもよい。さらに、通信部１１、記憶部１２、情報生成部３及び処理部４のうちの少なくとも１つの機能が、受信部１３に設けられていてもよい。また、処理部４のうち、権限情報を生成する生成部としての機能と、権限情報を出力する出力部としての機能とが、別個の装置に分散して設けられてもよい。
【００８４】
また、機器制御システム１００の少なくとも一部の機能は、例えばクラウド（クラウドコンピューティング）によって実現されてもよい。
【符号の説明】
【００８５】
１  情報出力システム
４  処理部（生成部、出力部）
５  領域
６  利用者（携帯者）
７  通信端末
８  対象機器
１２  記憶部
１３  受信部
１００  機器制御システム
２００  コントローラ（機器制御装置）
Ｄ２  識別情報
Ｄ３  制御情報（権限情報）
【図１】
2018076996.tif 000004
【図２】
2018076996.tif 000005
【図３】
2018076996.tif 000006
【図４】
2018076996.tif 000007